(57)【要約】【課題】  壁等に仕切られた建物内で電波の送受信を行う無線ＬＡＮアクセスポイントと、各部屋で電波の送受信を行う無線ＬＡＮ端末との無線ＬＡＮシステムにおいて、テレビ用アンテナケーブルを利用することで、専用ケーブルの設置工事を行わず、無線ＬＡＮシステムを可能にする。【解決手段】  本発明は、壁等に仕切られた建物内で電波の送受信を行う無線ＬＡＮアクセスポイントと、各部屋で電波の送受信を行う無線ＬＡＮ端末とで構成される無線ＬＡＮシステムにおいて、建物内に設置されたテレビ用アンテナケーブルに接続された無線ＬＡＮアクセスポイント近接の中継アンテナと、テレビ用アンテナケーブルに接続された各部屋の中継アンテナを備えることで、無線ＬＡＮアクセスポイント近接の中継アンテナ、テレビ用アンテナケーブル、各部屋の中継アンテナを介して、無線ＬＡＮアクセスポイントと無線ＬＡＮ端末との間で電波の送受信を行う無線ＬＡＮシステム。【選択図】図１
2005184299.tif 000002
【特許請求の範囲】
【請求項１】
壁等に仕切られた、建物内で電波の送受信を行う無線ＬＡＮアクセスポイントと、各部屋で電波の送受信を行う無線ＬＡＮ端末とで構成される無線ＬＡＮシステムにおいて、建物内に設置されたテレビ用アンテナケーブルに接続された、無線ＬＡＮアクセスポイント近接の中継アンテナと、テレビ用アンテナケーブルに接続された、各部屋の中継アンテナを備えることで、無線ＬＡＮアクセスポイント近接の中継アンテナ、テレビ用アンテナケーブル、各部屋の中継アンテナを介して、無線ＬＡＮアクセスポイントと無線ＬＡＮ端末との間で電波の送受信を行うことを特徴とする無線ＬＡＮシステム。
【請求項２】
無線ＬＡＮアクセスポイントに近接した中継アンテナとテレビ受像機からのテレビ用アンテナケーブルとを一方に接続した分波器と、テレビ用アンテナからのテレビ用アンテナケーブルと上記分波器の他方側からのテレビ用アンテナケーブルとを接続した結合器と、分配器を介して上記結合器に接続される少なくとも１つの部屋の分波器と、この分波器に直接接続される中継アンテナとを備えたことを特徴とする請求項１の無線ＬＡＮシステム。
【発明の詳細な説明】
【技術分野】
【０００１】
本発明は、建物内において各部屋に設置した無線ＬＡＮ端末がテレビ用アンテナケーブルを介して、電波の送受信を行う無線ＬＡＮシステムに関する。
【背景技術】
【０００２】
一般住宅や事務所などの建物は、壁等によって各部屋を仕切っている。このような各部屋を仕切る壁等の材質や厚さなどによって通過する電波の減衰量が大きく異なるため、送信電力が小さい無線端末による壁越しの無線通信は確実性に問題があった。すでに設置されているテレビ用アンテナケーブルを用いることで、専用ケーブルの設置工事を行わず安易にテレビ用アンテナケーブルを介して電波の送受信を行う無線通信システムが知られている。
【０００３】
従来例は、図２で示すような構成になっている。すなわち、図２で示すように、部屋Ｆと部屋Ｇからなる建物で、建物外にテレビ放送受信用アンテナ１が設置される。テレビ用アンテナ１はテレビ用増幅器２の入力側に接続される。テレビ用増幅器２の出力側は分配器４に接続され、分配器４を介しテレビ用アンテナケーブル３で各部屋に設置されたテレビ用端子５に接続されている。また部屋Ｆにおいては、テレビ用端子５に無線通信用の接続器６を接続し、無線通信用の接続器６には中継アンテナ７を接続する。この部屋Ｆには無線端末８を配置する。一方、部屋Ｇにおいては、テレビ用端子５にテレビ放送波と無線信号波とを分波する分波器９を接続し、分波器９にはテレビ受像機１０を接続する。一方、分波器９には無線通信用の接続器１１を接続し、この無線通信用の接続器１１には中継アンテナ１２を接続する。この部屋Ｇには無線端末１３を配置する。
【０００４】
これにより、無線端末８と無線端末１３とはテレビ用アンテナケーブルを介して電波の送受信を行うことで、壁等により仕切られることにより、電波が減衰することで無線通信が不可能な建物内でも、無線通信を行うことが出来る。
【特許文献１】特開平８−１２５６００号公報
【発明の開示】
【発明が解決しようとする課題】
【０００５】
このような、テレビ用アンテナケーブルを使用する無線通信システムにおいて、テレビ用アンテナケーブルに無線通信用の接続器や中継装置を接続して、テレビ用アンテナケーブルを介して電波の送受信を行うため、無線通信システム用の特別な機器が必要であった。そのため、従来の無線ＬＡＮ機器はテレビ用アンテナケーブルを介して電波の送受信が行えない。そのため新たに専用線を配線する必要があった。
【課題を解決するための手段】
【０００６】
そこで本発明は、壁等に仕切られた、建物内で電波の送受信を行う無線ＬＡＮアクセスポイントと、各部屋で電波の送受信を行う無線ＬＡＮ端末とで構成される無線ＬＡＮシステムにおいて、建物内に設置されたテレビ用アンテナケーブルに接続された、無線ＬＡＮアクセスポイント近接の中継アンテナと、テレビ用アンテナケーブルに接続された、各部屋の中継アンテナを備えることで、無線ＬＡＮアクセスポイント近接の中継アンテナ、テレビ用アンテナケーブル、各部屋の中継アンテナを介して、無線ＬＡＮアクセスポイントと無線ＬＡＮ端末との間で電波の送受信を行うとした無線ＬＡＮシステム。
【発明の効果】
【０００７】
本発明では、テレビ用アンテナケーブルに結合器、中継アンテナを用いることで既存の無線ＬＡＮ機器で建物内の各部屋で、無線ＬＡＮアクセスポイントと無線ＬＡＮ端末との間で電波の送受信を行うことを可能にしている。
【発明を実施するための最良の形態】
【０００８】
壁等で仕切られた、建物内の各部屋間で無線ＬＡＮシステムを実現するために、従来のテレビ用アンテナケーブルに結合器、分波器、中継アンテナを追加するだけで実現した。
【実施例】
【０００９】
図１で示すように、部屋Ａ、部屋Ｂ、部屋Ｃ、部屋Ｄ、部屋Ｅからなる建物で、建物外にテレビ用アンテナ２４が設置される。テレビ放送受信用アンテナ２４はテレビ用増幅器２２の入力側に接続される。テレビ用増幅器２２の出力側は結合器２１の入力Ａに接続され、結合器２１の入力Ｂはテレビ用アンテナケーブル２０で部屋Ａのテレビ用端子５に接続される。結合器２１の出力側は分配器２３の入力側に接続される。分配器２３を介しテレビ用アンテナケーブル２０で部屋Ｂ、部屋Ｃ、部屋Ｄ、部屋Ｅに設置されたテレビ用端子５に接続される。
【００１０】
また部屋Ａにおいては、テレビ用端子５に分波器１４を接続する。分波器１４は無線ＬＡＮ用出力側に中継アンテナ１８を接続し、テレビ用出力側にテレビ受像機１７を接続する。この部屋Ａには無線ＬＡＮアクセスポイント１５を中継アンテナ１８と無線ＬＡＮアクセスポイント１５のアンテナ１９が近接するように設置し、無線ＬＡＮ端末１６を設置する。無線ＬＡＮ端末１６は部屋Ａ内で無線ＬＡＮアクセスポイント１５と電波の送受信を行う。
【００１１】
部屋Ｂ、部屋Ｃ、部屋Ｄ、部屋Ｅにおいては、テレビ用端子５に分波器２５を接続する。分波器２５は、無線ＬＡＮ出力側に中継アンテナ３１を接続し、テレビ用出力側にテレビ受像機２９を接続する。この部屋Ｂ、部屋Ｃ、部屋Ｄ、部屋Ｅには無線ＬＡＮ端末２７が設置さる。無線ＬＡＮ端末２７は部屋Ｂ、部屋Ｃ、部屋Ｄ、部屋Ｅから、中継アンテナ３１―分波器２５―部屋Ｂ、部屋Ｃ、部屋Ｄ、部屋Ｅのテレビ用端子５―テレビ用アンテナケーブル２０―分配器２３―結合器２１―部屋Ａのテレビ用端子５―分波器１４―中継アンテナ１８の経路を介して部屋Ａの無線ＬＡＮアクセスポイント１５と電波の送受信を行う。
【００１２】
【表１】
2005184299.tif 000003
【００１３】
表１は、実施例と同じ構成の建物で部屋Ａと部屋Ｂとの間で無線ＬＡＮアクセスポイント１５からテレビ用アンテナケーブル２０を介して電波の送受信を行ったときの無線ＬＡＮ端末２７の受信レベルを測定した測定値である。
【００１４】
部屋Ａの無線ＬＡＮアクセスポイント１５から送信電力６ｄＢｍで電波を送信する。無線ＬＡＮアクセスポイント１５と中継アンテナ１８との距離が１５ｍｍあり、中継アンテナ１８のアンテナ利得が４．３６ｄＢ
で、１５ｍｍの伝播損失がマイナス３．６２ｄＢになる。また、部屋Ａの分波器１４から部屋Ｂの分波器２５の間にあるテレビ用端子、結合器、分配器、テレビ用アンテナケーブルの損失の合計がマイナス３０．１ｄＢになる。部屋Ｂの中継アンテナ２５は指向性のアンテナを使用し部屋Ｂ内だけに電波を放射する。中継アンテナ２５と無線ＬＡＮ端末２７との距離が５ｍあり、中継アンテナ２５のアンテナ利得が６．８６ｄＢで、５ｍの伝播損失がマイナス５４．０７ｄＢになる。
【００１５】
部屋Ａの無線ＬＡＮアクセスポイント１５から電波を送信して部屋Ｂの無線ＬＡＮ端末２７で受信する場合の受信レベルは、無線ＬＡＮアクセスポイント１５の送信電力と利得と損失との全ての合計からもとめるのでマイナス７０．６ｄＢｍになる。このとき無線ＬＡＮ端末２７の受信限界レベルがマイナス８０ｄＢｍである。表１の想定値は、部屋Ａの無線ＬＡＮアクセスポイント１５からテレビ用アンテナケーブルを介して部屋Ｂの無線ＬＡＮ端末２７とで電波の送受信を行えることを示している。
【００１６】
このように、既設のテレビ用アンテナケーブルを用いて、結合器、分波器、中継アンテナを追加するだけで容易に壁等に仕切られた建物内に無線ＬＡＮシステムを構築することが可能になる。
【産業上の利用可能性】
【００１７】
壁等に仕切られた部屋に、テレビ用アンテナケーブルが備えられていれば、上述した壁等に仕切られた建物に限定される物ではない。
【図面の簡単な説明】
【００１８】
【図１】本発明の実施例を説明図である。
【図２】従来の技術を示した図である。
【符号の説明】
【００１９】
１        テレビ用アンテナ
３        テレビ用アンテナケーブル
５        テレビ用端子
７        中継アンテナ
１２      中継アンテナ
１８      中継アンテナ
２０      テレビ用アンテナケーブル
２４      テレビ用アンテナ
３１      中継アンテナ
【図１】
2005184299.tif 000004
【図２】
2005184299.tif 000005